(57)【要約】【課題】  終話通知要求に基づいて通話終了後に終話通知メッセージを返送するＩＰ電話装置から、受信済みの終話通知要求の件数を取得することができるＩＰ電話システムを提供することを目的とする。【課題を解決するための手段】  発信先ＩＰ電話装置１１は、通話中、発信元ＩＰ電話装置１２〜１４から終話通知要求メッセージを受信すれば、通話終了後に、要求を行ったＩＰ電話装置１２〜１４へ終話通知メッセージを送信する。また、発信先ＩＰ電話装置１１は、通話中、接続要求を行った発信元ＩＰ電話装置１２〜１４に対し、終話通知の待ち件数Ｎｗを含む件数通知メッセージを送信する。このため、発信元ＩＰ電話装置１２〜１４は、終話通知の要求前に送信発信先ＩＰ電話装置１１における通知待ち件数Ｎｗを取得することができる。【解決手段】【選択図】  図３
2005101817.tif 000002
【特許請求の範囲】
【請求項１】
発信先ＩＰ電話装置が通話中である場合、発信元ＩＰ電話装置が、発信先ＩＰ電話装置に対し終話通知要求メッセージを送信することにより、上記通話の終了後に、発信先ＩＰ電話装置から発信元ＩＰ電話装置へ終話通知メッセージが送信されるＩＰ電話システムにおいて、
通話中の発信先ＩＰ電話装置が、接続要求を行った発信元ＩＰ電話装置に対し、受信済みの終話通知要求メッセージに基づいて、通知待ち件数を含む件数通知メッセージを送信し、
上記発信元ＩＰ電話装置が、上記件数通知メッセージを受信することにより、発信先ＩＰ電話装置における通知待ち件数を取得することを特徴とするＩＰ電話システム。
【請求項２】
上記発信先ＩＰ電話装置が、上記発信元ＩＰ電話装置から受信した接続要求メッセージに対する応答メッセージとして、上記件数通知メッセージを送信することを特徴とする請求項１に記載のＩＰ電話システム。
【請求項３】
上記発信元ＩＰ電話装置が、上記件数通知メッセージに基づいて、通話中の発信先ＩＰ電話装置における通知待ち件数をユーザに報知するとともに、ユーザの操作入力に基づいて終話通知要求メッセージを送信することを特徴とする請求項１に記載のＩＰ電話システム。
【請求項４】
上記発信先ＩＰ電話装置が、通話中に２以上の終話通知要求メッセージを受信した場合、通話終了後に、終話通知要求メッセージの受信順序に基づいて、順次に終話通知メッセージを送信することを特徴とする請求項１に記載のＩＰ電話システム。
【請求項５】
通話中に、通話相手以外のＩＰ電話装置から接続要求メッセージ及び終話通知要求メッセージを受信するＩＰパケット受信手段と、
受信した終話通知要求メッセージが格納されるメッセージ記憶手段と、
終話通知要求を行ったＩＰ電話装置に対し、通話終了後に終話通知メッセージを送信するＩＰパケット送信手段とを備え、
上記ＩＰパケット送信手段が、接続要求元のＩＰ電話装置に対し、受信済みの終話通知要求メッセージに基づいて、通知待ち件数を含む件数通知メッセージを送信することを特徴とするＩＰ電話装置。
【請求項６】
上記ＩＰパケット送信手段が、上記接続要求メッセージに対する応答メッセージとして、上記件数通知メッセージを送信することを特徴とする請求項５に記載のＩＰ電話装置。
【請求項７】
上記ＩＰパケット送信手段が、通話中に２以上の終話通知要求メッセージを受信した場合、通話終了後に、終話通知要求メッセージの受信順序に基づいて、順次に終話通知メッセージを送信することを特徴とする請求項５に記載のＩＰ電話装置。
【請求項８】
通話中の発信先ＩＰ電話装置に対し、接続要求メッセージ及び終話通知要求メッセージを送信するＩＰパケット送信手段と、
通話中の発信先ＩＰ電話装置から通知待ち件数を含む件数通知メッセージを受信するとともに、通話終了後の発信先ＩＰ電話装置からの終話通知メッセージを受信するＩＰパケット受信手段と、
件数通知メッセージに基づいて、発信先ＩＰ電話装置における通知待ち件数をユーザに報知する報知手段とを備えたことを特徴とするＩＰ電話装置。
【請求項９】
上記ＩＰパケット受信手段が、上記接続要求メッセージに対する応答メッセージとして、上記件数通知メッセージを受信することを特徴とする請求項８に記載のＩＰ電話装置。
【請求項１０】
上記ＩＰパケット送信手段は、終話通知メッセージに基づいて、発信先ＩＰ電話装置に対し接続要求メッセージを自動再送信することを特徴とする請求項８に記載のＩＰ電話装置。
【発明の詳細な説明】
【技術分野】
【０００１】
本発明は、ＩＰ電話システム及びＩＰ電話装置に係り、さらに詳しくは、発信先ＩＰ電話装置が通話中の場合、発信元ＩＰ電話装置が、通話終了時に発信先ＩＰ電話装置から終話通知メッセージを受信可能なＩＰ電話システム、並びに、このＩＰ電話システムに適用可能なＩＰ電話装置の改良に関する。
【背景技術】
【０００２】
近年、ブロードバンド通信網の普及に伴って、ＩＰ（Internet Protocol）網を利用して音声通信を行うＩＰ電話システムが急速に普及しつつある。ＩＰ網とは、通信プロトコルとしてＩＰを利用するインターネットやＬＡＮなどの通信ネットワークであり、この様なＩＰ網を介して音声通信を実現するための技術はＩＰ電話又はＶｏＩＰ（Voice over IP）と呼ばれている。ＶｏＩＰでは、デジタル化及びパケット化された音声データをＩＰ電話装置間で伝送することにより音声通信を実現している。
【０００３】
ＩＰ網は、通信相手とのコネクション（接続）を確立することなく、通信相手に対しデータを送信するコネクションレス型通信の環境を提供している。これに対し、電話による音声通話は、通信相手とのコネクションが確立された後、音声データが送受信されるべきコネクション型通信である。このため、ＩＰ電話システムでは、通話に先立ってＩＰ電話同士のコネクション（通話セッション）を確立するためのシグナリングプロトコル（呼制御手順）が必要となる。このようなプロトコルとして、ＩＴＵ−ＴによるＨ．３２３勧告や、ＩＥＴＦで標準化されたＳＩＰ（Session Initiation Protocol）などがある。
【０００４】
この様な従来のシグナリングプロトコルには、ユーザが発信先に指定したＩＰ電話装置が通話中であった場合、その通話が終了した後、自動リダイヤルを行うことを可能とする手順を規定しているものがあった。
【０００５】
例えば、ＳＩＰには自動リダイヤル手順が設けられており、通話中応答メッセージ（Busy）を受信した発信元ＩＰ電話装置は、通話中の発信先ＩＰ電話装置に対し、終話通知要求メッセージ（SUBSCRIBE）を送信することができる。この終話通知要求メッセージ（SUBSCRIBE）を受信した発信先ＩＰ電話装置は、通話終了時に、発信元ＩＰ電話装置へ終話通知メッセージ（NOTIFY）を送信する。このため、発信元ＩＰ電話装置は、発信先ＩＰ電話装置の通話終了時に自動的にリダイヤルを行うことができ、上記通話終了後、直ちに発信先ＩＰ電話装置との間で通話セッションを確立させることができる。
【発明の開示】
【発明が解決しようとする課題】
【０００６】
従来のＩＰ電話システムでは、上述した自動リダイヤル手順を利用することによって、発信先ＩＰ電話装置が通話中の場合であれば、終話通知メッセージを待ってリダイヤルすることができる。
【０００７】
この様なリダイヤル手順を採用しているＩＰ電話システムでは、同じ発信先ＩＰ電話装置に対し、多数の発信元ＩＰ電話装置から終話通知要求メッセージ（SUBSCRIBE）が送信される場合が考えられる。例えば、発信先ＩＰ電話装置が長時間にわたって通話中である場合や、発信先ＩＰ電話装置が着信頻度が高いＩＰ電話装置である場合などである。この様な場合、通話終了後に、多数の発信元ＩＰ電話装置に対し、発信先ＩＰ電話装置から終話通知メッセージ（NOTIFY）が送信される。
【０００８】
終話通知メッセージ（NOTIFY）を受け取った各発信元ＩＰ電話装置は、それぞれが同一の発信先ＩＰ電話装置に対し接続要求メッセージ（INVITE）を送信する。つまり、一斉にリダイヤルが行われることになる。この結果、接続要求メッセージ（INVITE）が発信先ＩＰ電話装置に最初に到達した発信元ＩＰ電話装置のみが通話可能となり、それ以外の発信元ＩＰ電話装置は、再び通話中応答メッセージ（Busy）を受け取ることになる。
【０００９】
つまり、多くの発信元ＩＰ電話装置のユーザから見れば、発信先ＩＰ電話装置が通話中であったため、終話通知メッセージ（NOTIFY）を待ってリダイヤルしているにもかかわらず、再び、通話中応答メッセージ（Busy）が返送されることになる。特に、終話通知待ちのＩＰ電話装置が多数であった場合、その後、再び終話通知メッセージ（NOTIFY）を待ってリダイヤルしたとしても、同様の結果となる可能性が高く、発信元ＩＰ電話装置のユーザは、いつ通話できるのかが判らないままＩＰ電話装置から離れることができない。
【００１０】
リダイヤルの成功確率は、終話通知待ちの件数が多くなるのに伴って低くなる。このため、緊急性が高いような特別な場合を除き、終話通知待ちの件数が多ければ、発信元ＩＰ電話装置のユーザは終話通知要求を行わないと考えられる。緊急性の低いユーザが終話通知要求を行わなければ、結果的に、通話終了後に緊急性の高いユーザが通話できる可能性が高くなる。
【００１１】
しかしながら、従来のＩＰ電話システムでは、発信元ＩＰ電話装置のユーザが、同じ発信先ＩＰ電話装置における通話終了を待っている他のＩＰ電話装置の数を知ることはできず、終話通知待ちの件数に基づいて終話通知要求を行うか否かを判断することができないという問題があった。
【００１２】
本発明は、上記の事情に鑑みてなされたものであり、通話中の終話通話要求メッセージに基づいて通話終了後に終話通知メッセージを返送するＩＰ電話装置に対し、接続要求が行われた場合、発信元ＩＰ電話装置が、発信先ＩＰ電話装置における通知待ち件数を取得することができるＩＰ電話システムを提供することを目的とする。また、この様なＩＰ電話システムに適用可能なＩＰ電話装置を提供することを目的とする。
【００１３】
また、発信先ＩＰ電話装置が通話中の場合、ユーザに対し、発信先ＩＰ電話装置における通知待ち件数を報知し、その後に、この発信先ＩＰ電話装置に対する終話通知要求を選択可能なＩＰ電話装置を提供することを目的とする。
【特許文献１】特開２０００−１３８７１７号公報
【特許文献２】特開２０００−１７４９０４号公報
【課題を解決するための手段】
【００１４】
本発明によるＩＰ電話システムは、発信先ＩＰ電話装置が通話中である場合、発信元ＩＰ電話装置が、発信先ＩＰ電話装置に対し終話通知要求メッセージを送信することにより、上記通話の終了後に、発信先ＩＰ電話装置から発信元ＩＰ電話装置へ終話通知メッセージが送信されるＩＰ電話システムであって、通話中の発信先ＩＰ電話装置が、接続要求を行った発信元ＩＰ電話装置に対し、受信済みの終話通知要求メッセージに基づいて、通知待ち件数を含む件数通知メッセージを送信し、上記発信元ＩＰ電話装置が、上記件数通知メッセージを受信することにより、発信先ＩＰ電話装置における通知待ち件数を取得するように構成される。
【００１５】
この様な構成によれば、通話中の発信先ＩＰ電話装置に対して接続要求を行った発信元ＩＰ電話装置は、他のＩＰ電話装置が発信先ＩＰ電話装置に対して行った終話通話要求の件数を取得することができる。従って、発信元ＩＰ電話装置のユーザは、終話通知に基づくリダイヤルの成功確率をおおよそ把握することができ、例えば、無駄な自動リダイヤルが行われることにより、同一のＩＰ電話装置に対し多数の終話通知要求が送信されるのを防止することができる。
【００１６】
また、本発明によるＩＰ電話システムは、上記構成に加えて、上記発信先ＩＰ電話装置が、上記発信元ＩＰ電話装置から受信した接続要求メッセージに対する応答メッセージとして、上記件数通知メッセージを送信するように構成される。この様な構成によれば、発信元ＩＰ電話装置は、発信先ＩＰ電話装置への発信を行うことにより、発信先ＩＰ電話装置における通知待ち件数を取得することができる。従って、発信先ＩＰ電話装置が通話中の場合、発信操作を行ったユーザに対し、発信先ＩＰ電話装置での通知待ち件数を報知することができる。
【００１７】
また、本発明によるＩＰ電話システムは、上記構成に加えて、上記発信元ＩＰ電話装置が、上記件数通知メッセージに基づいて、通話中の発信先ＩＰ電話装置における通知待ち件数をユーザに報知するとともに、ユーザの操作入力に基づいて終話通知要求メッセージを送信するように構成される。この様な構成によれば、通話中のＩＰ電話装置に対する発信操作を行ったユーザは、通知待ち件数を考慮して、終話通知メッセージを要求するか否かを判断することができる。
【００１８】
また、本発明によるＩＰ電話システムは、上記構成に加えて、上記発信先ＩＰ電話装置が、通話中に２以上の終話通知要求メッセージを受信した場合、通話終了後に、終話通知要求メッセージの受信順序に基づいて、順次に終話通知メッセージを送信するように構成される。この様な構成によれば、終話通知メッセージの要求順に、終話通知メッセージを送信することができ、各発信元ＩＰ電話装置に対し、リダイヤルの機会を公平に付与することができる。また、通知待ち件数とリダイヤル成功確率との相関性を高めることができる。
【００１９】
また、本発明によるＩＰ電話装置は、通話中に、通話相手以外の発信元ＩＰ電話装置から接続要求メッセージ及び終話通知要求メッセージを受信するＩＰパケット受信手段と、受信した終話通知要求メッセージが格納されるメッセージ記憶手段と、終話通知要求を行った発信元ＩＰ電話装置に対し、通話終了後に終話通知メッセージを送信するＩＰパケット送信手段とを備え、上記ＩＰパケット送信手段が、接続要求を行った発信元ＩＰ電話装置に対し、受信済みの終話通知要求メッセージに基づいて、通知待ち件数を含む件数通知メッセージを送信するように構成される。この様な構成によれば、発信元ＩＰ電話装置から接続要求があった場合に、件数通知メッセージを送信することができる。
【００２０】
また、本発明によるＩＰ電話装置は、上記構成に加えて、上記ＩＰパケット送信手段が、上記接続要求メッセージに対する応答メッセージとして、上記件数通知メッセージを送信するように構成される。この様な構成によれば、他のＩＰ電話装置との通話中に接続要求を送信してきた発信元ＩＰ電話装置に対し、現在の通知待ち件数を知らせることができる。
【００２１】
また、本発明によるＩＰ電話装置は、上記構成に加えて、上記ＩＰパケット送信手段が、通話中に２以上の終話通知要求メッセージを受信した場合、通話終了後に、終話通知要求メッセージの受信順序に基づいて、順次に終話通知メッセージを送信するように構成される。この様な構成によれば、各発信元ＩＰ電話装置に対し、リダイヤルの機会を公平に付与することができる。また、通知待ち件数とリダイヤル成功確率との相関性を高めることができる。
【００２２】
また、本発明によるＩＰ電話装置は、通話中の発信先ＩＰ電話装置に対し、接続要求メッセージ及び終話通知要求メッセージを送信するＩＰパケット送信手段と、通話中の発信先ＩＰ電話装置から通知待ち件数を含む件数通知メッセージを受信するとともに、通話終了後の発信先ＩＰ電話装置からの終話通知メッセージを受信するＩＰパケット受信手段と、件数通知メッセージに基づいて、発信先ＩＰ電話装置における通知待ち件数をユーザに報知する報知手段とを備えて構成される。この様な構成によれば、通話中の発信先ＩＰ電話装置における通知待ち件数を取得し、ユーザに報知することができる。
【００２３】
また、本発明によるＩＰ電話装置は、上記ＩＰパケット受信手段が、上記接続要求メッセージに対する応答メッセージとして、上記件数通知メッセージを受信するように構成される。この様な構成によれば、通話中の発信先ＩＰ電話装置に対して接続要求を行った際、この発信先ＩＰ電話装置における通知待ち件数を取得し、ユーザに報知することができる。
【００２４】
また、本発明によるＩＰ電話装置は、上記ＩＰパケット送信手段が、終話通知メッセージに基づいて、発信先ＩＰ電話装置に対し接続要求メッセージを自動送信するように構成される。この様な構成によれば、発信先ＩＰ電話装置の通話終了時に自動リダイヤルを行うことができる。
【発明の効果】
【００２５】
本発明によれば、通話中の終話通話要求メッセージに基づいて通話終了後に終話通知メッセージを返送するＩＰ電話装置に対し、接続要求が行われた場合、発信元ＩＰ電話装置が、発信先ＩＰ電話装置における通知待ち件数を取得することができるＩＰ電話システムを提供することができる。また、この様なＩＰ電話システムに適用可能なＩＰ電話装置を提供することができる。
【００２６】
また、本発明によれば、発信先ＩＰ電話装置が通話中の場合、ユーザに対し、発信先ＩＰ電話装置における通知待ち件数を報知し、その後に、この発信先ＩＰ電話装置に対する終話通知要求を選択可能なＩＰ電話装置を提供することができる。
【発明を実施するための最良の形態】
【００２７】
実施の形態１．
図１は、本発明が適用されるＩＰ電話システムの一例を示した概略図であり、シグナリングプロトコルとしてＳＩＰを採用した場合の典型例が示されている。このＩＰ電話システムは、ＩＰ電話装置１０及び１１と、プロキシーサーバ２１及び２２と、ロケーションサーバ２３とをＩＰ網２０を介して接続することにより構成される。
【００２８】
ＩＰ電話装置１０，１１は、ＵＡ（User Agent）と呼ばれるユーザー端末であり、いずれもＩＰ網２０に対し、クライアント（ＵＡＣ：User Agent Client）として要求メッセージを送信するとともに、サーバ（ＵＡＳ：User Agent Server）として応答メッセージを送信することができる。すなわち、ＩＰ電話装置１０，１１は、ＩＰパケットが送受信できるデジタル通信端末であり、それ自体が独立した電話機である場合のみならず、アナログ電話機が接続されたＶｏＩＰゲートウエイであってもよいし、音声入出力が可能なパーソナルコンピュータ等であってもよい。さらに、無線回線を介してＩＰ網２０に接続されるＶｏＩＰ通話が可能な移動体通信端末であってもよい。
【００２９】
プロキシーサーバ２１，２２は、ＩＰ電話装置１０，１１間で送受信されるＳＩＰメッセージを中継する装置であり、ＩＰ電話装置１０，１１間で呼接続制御が行われる際、要求メッセージをＵＡＳに向けて、応答メッセージをＵＡＣに向けてルーティングしている。なお、呼接続制御はプロキシーサーバ２１，２２を介して行われるが、ＩＰ電話装置１０，１１間で通話セッションが確立された後は、プロキシーサーバ２１，２２を介することなく音声データパケットの送受信が行われる。
【００３０】
ロケーションサーバ２３は、ＩＰ電話装置１０，１１の位置に関するデータベースを有し、プロキシーサーバ２１，２２に対し、ＳＩＰメッセージのルーティングに必要な情報を提供している。具体的には、各ＩＰ電話装置１０，１１のＩＰ電話番号やＵＲＩ（Uniform Resource Identifier）をＩＰアドレスやプロキシーサーバ２１，２２に対応づけて記憶している。
【００３１】
図２は、図１のＩＰ電話システムにおける基本動作の一例を示したシーケンス図であり、ＩＰ電話装置１０からＩＰ電話装置１１へ発信が行われ、通話セッションが確立された後に通話が開始され、当該通話セッションが開放されるまでの一連の手順が示されている。
【００３２】
まず、発信元となるＩＰ電話装置１０が、プロキシーサーバ２１に対して接続要求メッセージ（INVITE）を送信する。この接続要求メッセージ（INVITE）は、発信先としてのＩＰ電話装置１１をＩＰ電話番号又はＵＲＩにより指定したデータパケットである。プロキシーサーバ２１は、ＩＰ電話装置１０のユーザが予め加入契約を行っているＳＩＰサーバであり、ＩＰ電話装置１０の認証を行った後、この接続要求メッセージ（INVITE）をプロキシーサーバ２２へ転送する。また、このとき、ＩＰ電話装置１０に対し、試行中メッセージ（Trying）が返送される。
【００３３】
プロキシーサーバ２２は、ＩＰ電話装置１１のユーザが予め加入契約を行っているＳＩＰサーバであり、発信先ＩＰ電話装置１１に対する発信要求メッセージは、一旦、このプロキシーサーバ２２へ転送される。転送先がプロキシーサーバ２２であることは、プロキシーサーバ２１が、ロケーションサーバ２３に対し、ＩＰ電話番号又はＵＲＩにより発信先ＩＰ電話装置１１を指定した問い合わせを行うことによって決定される。
【００３４】
接続要求メッセージ（INVITE）を受信したＩＰ電話装置１１は、通話中でなければ、呼び出し音の鳴動等により、着信があったことをユーザに報知するとともに、プロキシーサーバ２２へ呼び出し中メッセージ（Ringing）を返送する。この呼び出し中メッセージは、プロキシーサーバ２２及び２１を介してＩＰ電話装置１０へ伝送される。この呼び出し状態において、IＰ電話装置１１のユーザが、オフフック操作を行えば、成功応答メッセージ（OK）が、プロキシーサーバ２２及び２１を介してＩＰ電話装置１０へ伝送される。
【００３５】
成功応答メッセージ（OK）を受信したＩＰ電話装置１０は、ＩＰ電話装置１１に対し、最終応答メッセージ（ACK）を送信し、ＩＰ電話装置１０，１１間に通話セッションが確立される。この最終応答メッセージ（ACK）は、ＩＰ電話装置１１のＩＰアドレスを宛先とするデータパケットであり、プロキシサーバ２１及び２２を介することなく、直接、ＩＰ電話装置１１に伝送される。なお、最終応答メッセージ（ACK）とは、一つのトランザクションが完了したことを通知するメッセージであり、ここでは、接続要求メッセージ（INMVITE）で始まる一連の手順の完了を意味している。
【００３６】
その後は、ＩＰ電話装置１０，１１間において、互いに他方のＩＰアドレスを宛先とするデータパケットを送受信することにより通話が可能となる。つまり、プロキシサーバ２１及び２２を介することなく、音声データを含むＩＰパケットが送受信される。
【００３７】
通話中に、いずれか一方のＩＰ電話装置１０，１１においてオンフック操作が行われると、通話セッションが切断され、通話は終了する。例えば、ＩＰ電話装置１１において、オンフック操作が行われた場合、ＩＰ電話装置１１から終了要求メッセージ（BYE）が送信される。この終了要求メッセージ（BYE）を受信したＩＰ電話装置１０は、成功応答メッセージ（OK）を返送し、ＩＰ電話装置１０及び１１間の通話セッションが切断される。
【００３８】
なお、ここでは、一例としてプロキシーサーバ２１，２２を介してＳＩＰメッセージを送受信するＩＰ電話システムの例について説明したが、本発明は、プロキシサーバ２１，２２を介さずに呼接続制御を行うＩＰ電話システムにも適用することができる。例えば、ＩＰ電話装置１０，１１間においてピアツーピアでＳＩＰメッセージを送受信するＩＰ電話システムにも適用することができる。
【００３９】
図３は、本発明の実施の形態１によるＩＰ電話システムの一例について説明するための図であり、ＩＰ電話装置１０と通話中のＩＰ電話装置１１に対し、複数のＩＰ電話装置１２〜１４から発信が行われる様子が示されている。図中の１０〜１４は、いずれもＩＰ網２０を介して接続されたＩＰ電話装置であり、図１で示されていたＳＩＰプロキシーサーバ２１，２２、ロケーションサーバ２３は便宜上省略されている。
【００４０】
ここでは、ＩＰ電話装置１０，１１間で通話セッションが確立され、通話中である場合に、他のＩＰ電話装置１２〜１４からＩＰ電話装置１１に対して順次に発信が行われるものとする。このとき、発信元となる各ＩＰ電話装置１２〜１４は、発信先となる通話中のＩＰ電話装置１１から通話中メッセージ（Busy）を受信することになる。この通話中メッセージ（Busy）には、通知待ち件数Ｎｗが含まれている。
【００４１】
通知待ち件数Ｎｗとは、ＩＰ電話装置１１が既に受信した終話通知要求メッセージの数である。換言すれば、通知待ち件数Ｎｗは、ＩＰ電話装置１１からの終話通知を待っているＩＰ電話装置の数に相当する。なお、発信先ＩＰ電話装置１１が、同一の発信元ＩＰ電話装置１２〜１４から２以上の終話通知要求メッセージを受信した場合、受信メッセージ数を通知待ち件数Ｎｗとすることもできるが、発信先ＩＰ電話装置１１において、要求元が同じＩＰ電話装置か否かを判別し、要求元となるＩＰ電話装置の数を通知待ち件数Ｎｗとすることもできる。要求元となるＩＰ電話装置の同一性は、例えば、終話通知要求メッセージに含まれるＩＰアドレス、ＩＰ電話番号、ＵＲＩ等の発信元識別情報に基づいて判別することができる。
【００４２】
通話中のＩＰ電話装置１１へ発信したＩＰ電話装置１２〜１４では、この通知待ち件数Ｎｗが表示される。このため、ＩＰ電話装置１２〜１４のユーザは、現在の通知待ち件数Ｎｗに応じて、終話通知要求を行うか否かを判断することができる。例えば、ＩＰ電話装置１２及び１３が、ＩＰ電話装置１１からの終話通知待ちを行っている場合、その後、ＩＰ電話装置１４がＩＰ電話装置１１に対して発信すれば、通知待ち件数Ｎｗ＝２であることが、ＩＰ電話装置１４において表示される。このため、ＩＰ電話装置１４のユーザは、終話通知要求メッセージを送信し、自動リダイヤルを行っても通話できる可能性が低いことを知ることができる。
【００４３】
図４は、発信先が通話中であった場合におけるシグナリング手順の一例を示したシーケンス図であり、図３のＩＰ電話装置１２が発信した際、発信先であるＩＰ電話装置１１がＩＰ電話装置１０と通話中であった場合の動作が示されている。
【００４４】
発信元ＩＰ電話装置１２において、発信先ＩＰ電話装置１１を指定した発信操作が行われると、ＩＰ電話装置１２からＩＰ電話装置１１に対し、接続要求メッセージ（INVITE）Ｍ１００が送信される。このとき、発信先ＩＰ電話装置１１は他のＩＰ電話装置１０との通話中であるため、発信先ＩＰ電話装置１１からは通話中応答メッセージ（Busy）Ｍ１０１が返送される。その後、発信元ＩＰ電話装置１２から最終応答メッセージ（ACK）Ｍ１０２が送られ、このトランザクションは完了する。
【００４５】
上記通話中応答メッセージ（Busy）Ｍ１０１には、発信先ＩＰ電話装置１１における通知待ち件数Ｎｗが含まれている。発信元ＩＰ電話装置１２のユーザは、この通知待ち件数Ｎｗを参考にして、自動リダイヤルを利用するか否かを決定することができる。発信元ＩＰ電話装置１２においてユーザが自動リダイヤルを選択した場合、通話中の発信先ＩＰ電話装置１１に対し終話通知要求メッセージ（SUBSCRIBE）Ｍ１０３が送信される。このとき、発信先ＩＰ電話装置１１からからは当該要求に対する成功応答メッセージ（OK）Ｍ１０４が返送される。
【００４６】
その後、通話が終了すれば、発信先ＩＰ電話装置１１から発信元ＩＰ電話装置１２へ終話通知メッセージ（NOTIFY）Ｍ１０５が送信され、発信元ＩＰ電話装置１２からは、この通知に対する成功応答メッセージ（OK）Ｍ１０６が送信される。発信元ＩＰ電話装置１２は、この終話通知メッセージＭ１０５に基づいてリダイヤル、すなわち、接続要求メッセージ（INVITE）Ｍ１０７の送信が行われる。
【００４７】
図５は、図３の各ＩＰ電話装置１０〜１４の要部の一構成例を示したブロック図である。このＩＰ電話装置は、スプリッタ３０、電話機３１、切替回路３２、着信検出回路３３及びＶｏＩＰゲートウエイ３４により構成される。ＶｏＩＰゲートウエイ３４は、電話機３１をＡＤＳＬ回線に接続し、ＶｏＩＰ通話を実現するための装置であり、主制御部４０、ＶｏＩＰ処理部４１、電話制御部４２、終話通知要求記憶部４３、入出力制御部４４、キー操作部４５、表示部４６及びサウンド出力部４７により構成される。
【００４８】
スプリッタ３０は、図示しない交換局に電話線で接続され、この交換局を介してＩＰ網２０に接続されている。上記電話線は、ＰＳＴＮ（Public Switched Telephone Network）加入者回線及びＡＤＳＬ（Asynchronous Digital Subscriber Line）回線を重畳可能な信号線であり、交換局では、ＰＳＴＮ加入者回線（以下、単にＰＳＴＮ回線と呼ぶ）がＰＳＴＮに、ＡＤＳＬ回線がＩＰ網２０に接続される。スプリッタ３０は、ＰＳＴＮ回線及びＡＤＳＬ回線の分離及び合成を行って、ＰＳＴＮ回線を切替回路３２に、ＡＤＳＬ回線をＶｏＩＰゲートウエイ３４に接続している。
【００４９】
電話機３１は、ハンドセット及びダイヤル操作部を有し、ＰＳＴＮ回線に接続して使用されるアナログ電話機であり、ここでは切替回路３２に接続されている。切替回路３２は、スプリッタ３０のＰＳＴＮ回線が接続されるとともに、ゲートウエイ３４を介してＡＤＳＬ回線が接続され、電話機３１をＰＳＴＮ回線側又はＡＤＳＬ回線（つまりＶｏＩＰ）側のいずれかに選択的に接続する。
【００５０】
着信検出回路３３は、ＰＳＴＮ回線経由で受信されたＣＡＲ信号又はＩＲ信号に基づいて着信検出を行っている。また、ＶｏＩＰゲートウエイ３４からＶｏＩＰ通信の状態が入力されている。着信検出回路３３がＰＳＴＮ回線の着信を検出した場合、切替回路３２はＰＳＴＮ側に切り替えられ、電話機３１はＰＳＴＮ回線へ接続される。ただし、ＶｏＩＰによる通話中であれば上記切替は行われない。
【００５１】
一方、ＶｏＩＰゲートウエイ３４が着信を検出した場合、切替回路３２はＶｏＩＰ側に切り替えられ、電話機３１はＶｏＩＰゲートウエイ３４に接続される。ただし、ＰＳＴＮによる通話中であれば、上記切替は行われない。従って、ＶｏＩＰゲートウエイ３４は、接続要求メッセージを受信した場合、他のＩＰ電話装置との通話中の場合はもちろんのこと、ＰＳＴＮによる通話中の場合も、発信元ＩＰ電話装置へ通話中応答メッセージを返送する。
【００５２】
ＶｏＩＰ処理部４１は、ＡＤＳＬ回線を介してＩＰパケット、例えば、ＳＩＰパケットや音声データパケットの送受信処理を行っている。例えば、発信時には、接続要求メッセージをスプリッタ３０を介してＩＰ網２０へ送出し、着信時には、スプリッタ３０を介してＩＰ網２０から接続要求メッセージを受信する。また、ＶｏＩＰ処理部４１は、ＩＰ網２０からスプリッタ３０を介して受信した音声データパケットをアナログ音声信号へ変換し、切替回路３２を介して電話機３１へ出力している。また、電話機３１からのアナログ音声信号をＩＰパケットへ変換し、スプリッタ３０を介してＩＰ網２０へ送出している。
【００５３】
電話制御部（ＳＬＩＣ：Subscriber Line Interface Circuit）４２は、切替回路３２に接続され、切替回路３２に対してＰＳＴＮ回線の交換局に相当するインターフェースを提供する回路である。すなわち、電話制御部４２において、給電線制御、状態監視、２線−４線変換などが行われており、電話機３１から見れば、ＶｏＩＰゲートウエイ３４側もＰＳＴＮ回線とみなすことができる。
【００５４】
主制御部４０は、ＶｏＩＰ処理部４１の動作制御を行っている。特に、ＶｏＩＰ通信のためのシグナリング（呼制御）は、主制御部４０が生成したＳＩＰメッセージをＶｏＩＰ処理部４１が送信し、また、ＶｏＩＰ処理部４１が受信したＳＩＰメッセージを主制御が解析及び判別することによって行われる。
【００５５】
終話通知要求記憶部４３は、終話通知要求メッセージを記憶する記憶手段である。主制御部４０は、通話中に終話通知要求メッセージを受信すれば、そのメッセージを終話通知要求記憶部４３へ格納する。そして、当該通話の終了後に、終話通知要求記憶部４３のメッセージに基づいて、要求を行った各ＩＰ電話装置に対する終話通知メッセージを生成し、ＶｏＩＰ処理部４１が、これらのメッセージを送信する。
【００５６】
入出力制御部４４は、キー操作部４５、表示部４６及びサウンド出力部４７を用いたユーザＩ／Ｆを制御している。表示部４６及びサウンド出力部４７は、ユーザに対し、ＶｏＩＰゲートウエイ３４に関する様々な情報を報知するための出力手段であり、通知待ち件数Ｎｗを報知することができる。すなわち、発信時に発信先ＩＰ電話装置１１が通話中であった場合、通話中応答メッセージから得られた通知待ち件数Ｎｗを画面表示し、あるいは、合成音声により出力して報知することができる。キー操作部４５は、ユーザが様々な操作入力を行うための入力手段であり、自動リダイヤルキーが含まれる。自動リダイヤルキーは、発信先ＩＰ電話装置１１が通話中であった場合に、終話通知を待って自動的にリダイヤルを行うことを指示する操作キーである。
【００５７】
図６は、図５のＶｏＩＰ処理部４１の一構成例を示したブロック図である。ＶｏＩＰ処理部４１は、ＡＤＳＬモデム、ＡＤＳＬ制御部５１、ＶｏＩＰ制御部５２、ＤＳＰ制御部５３、ＤＳＰコーデック５４により構成される。
【００５８】
ＡＤＳＬ制御部５１は、変復調手段としてのＡＤＳＬモデム５０を制御し、ＡＤＳＬ回線に対する信号処理を行っている。ＩＰ網２０から伝送されたＩＰパケットは、ＡＤＳＬモデム５０で復調された後、ＡＤＳＬ制御部５１を介してＶｏＩＰ制御部５２へ入力される。また、ＶｏＩＰ制御部５２で生成されたＩＰパケットは、ＡＤＳＬ制御部５１を介してＡＤＳＬモデム５０で変調され、ＩＰ網２０へ送出される。
【００５９】
ＶｏＩＰ制御部５２では、ＩＰパケットの送受信処理が行われている。ＶｏＩＰ制御部５２が、ＡＤＳＬ制御部５１からＳＩＰパケットを受信すれば、当該パケットに含まれるメッセージを主制御部４０へ出力する。また、主制御部４０から送信メッセージが出力された場合には、当該メッセージを含むＳＩＰパケットを生成し、ＡＤＳＬ制御部５１へ出力する。
【００６０】
さらに、音声データについては、ＶｏＩＰ制御部５２において、パケット化処理及びその復元処理が行われている。ＶｏＩＰ制御部５２が、ＡＤＳＬ制御部５１からの音声データパケットを受信すれば、これらのパケットをシーケンス番号に従って並び替え、順次に音声データへ復元し、ＤＳＰ制御部５３へ出力している。また、ＤＳＰ制御部５３からの音声データをパケット化し、音声データパケットとしてＡＤＳＬ制御部５１へ出力する。
【００６１】
ＤＳＰ（Digital Signal Processor）制御部５３は、ＤＳＰコーデック５４を制御し、音声データに対する符号化処理及び復号化処理を行っている。ＶｏＩＰ制御部５２で復元された音声データは、ＤＳＰ制御部５３を介してＤＳＰコーデック５４で復号化（デコード）された後、アナログ音声信号として切替回路３２へ出力される。また、切替回路３２から入力された音声信号は、ＤＳＰコーデック５４でデジタル符号化され、ＤＳＰ制御部５３を介してＶｏＩＰ制御部５２へ出力される。
【００６２】
図７のステップＳ１０１〜Ｓ１１０は、図３の発信先ＩＰ電話装置１１における動作の一例を示したフローチャートである。まず、ＩＰ電話装置１０からの接続要求メッセージ（INVEITE）を受信することにより、通話が開始される（ステップＳ１０１，Ｓ１０２）。この通話中に、他のＩＰ電話装置１２〜１４から接続要求メッセージ（INVITE）を受信すれば、通知待ち件数Ｎｗを求め、通知待ち件数Ｎｗを含む通話中応答メッセージ（Busy）を要求元のＩＰ電話装置１２〜１４へ返送する（ステップＳ１０３〜Ｓ１０５）。
【００６３】
通知待ち件数Ｎｗは、主制御部４０が、終話通知要求記憶部４３に格納されている終話通知要求メッセージ（SUBSCRIBE）を読み出し、そのメッセージ数をカウントすることにより得られる。ＶｏＩＰ処理部４１は、主制御部４０の指示に基づいて、この通知待ち件数Ｎｗを含む通話中応答メッセージ（Busy）をＩＰ網２０へ送出する。
【００６４】
また、上記通話中に、他のＩＰ電話装置１２〜１４から終話通知要求メッセージ（SUBSCRIBE）を受信した場合には、主制御部４０が、この受信メッセージを終話通知要求記憶部４３に格納する（ステップＳ１０６，Ｓ１０７）。
【００６５】
上記通話が終了するまでは、ステップＳ１０３〜Ｓ１０７が繰り返される（ステップＳ１０８）。その後、ＩＰ電話装置１０又は１１においてオンフックが行われ、上記通話が終了すれば、終話通知メッセージ（NOTIFY）が送信される。終話通知メッセージ（NOTIFY）は、ステップＳ１０６において終話通知を要求していた各ＩＰ電話装置１２〜１４に対して送信され、全ての要求元に対する送信が完了すれば処理を終了する（ステップＳ１０９，Ｓ１１０）。その後は、リダイヤルを行ったＩＰ電話装置１２〜１４のうち、接続要求メッセージ（INVITE）がＩＰ電話装置１１に最も早く到着したＩＰ電話装置との間で通話セッションが確立され、通話が開始される。
【００６６】
図８のステップＳ２０１〜Ｓ２０８は、図３の発信元ＩＰ電話装置１２〜１４における動作の一例を示したフローチャートである。例えば、ＩＰ電話装置１２が、通話中のＩＰ電話装置１１に対して接続要求メッセージ（INVITE）を送信すると、通話中応答メッセージ（Busy）が返送される（ステップＳ２０１，Ｓ２０２）。
【００６７】
このとき、発信元ＩＰ電話装置１２は、受信メッセージから通知待ち件数Ｎｗを抽出し、ユーザに報知する（ステップＳ２０３）。すなわち、主制御部４０が、受信した通話中応答パケット（Busy）から通知待ち件数Ｎｗを抽出し、入出力制御部４４を介して、表示部４６又はサウンド出力部４７へ出力する。この結果、発信元ＩＰ電話装置１２において、表示部４６に通知待ち件数Ｎｗが表示され、あるいは、サウンド出力部４７から合成音声として通知待ち件数Ｎｗが出力される。
【００６８】
発信元ＩＰ電話装置１２のユーザは、この通知待ち件数Ｎｗを参考にして、自動リダイヤル機能を利用するか否かを判断し、利用する場合にはキー操作部４５の自動リダイヤルキーを操作する（ステップＳ２０４）。自動リダイヤルを利用しない場合、発信処理は終了する。自動リダイヤルキーが操作された場合、この操作入力は、入出力制御部４４を介して主制御部４０へ入力され、ＶｏＩＰ処理部４１は、主制御部４０の指示に基づいて、通話中の発信先ＩＰ電話装置１１に対し、終話通知要求メッセージ（SUBSCRIBE）を送信する（ステップＳ２０５）。
【００６９】
その後、通話を終了した発信先ＩＰ電話装置１１から終話通知メッセージ（NOTIFY）を受信するまで待機し、このメッセージを受信すれば自動リダイヤルを実行する。すなわち、ＩＰ電話装置１２の主制御部４０は、終話通知メッセージを受信すれば、発信先ＩＰ電話装置１１に対し、当該通知に対する成功応答メッセージ（OK）を送信するとともに、接続要求メッセージ（INVITE）を再送信する（ステップＳ２０７）。
【００７０】
この結果、成功応答メッセージ（OK）を受信した場合には、最終応答メッセージ（ACK）を送信することにより、ＩＰ電話装置１１との通話セッションが確立され、通話が開始される（ステップＳ２０８）。一方、他のＩＰ電話装置１３，１４からの接続要求が、終話後のＩＰ電話装置１１に先に到達した場合には、発信先ＩＰ電話装置１１から再び通話中応答メッセージ（Busy）が返送され、ステップＳ２０３以降の動作が繰り返される。
【００７１】
本実施の形態によれば、通話中のＩＰ電話装置１１が、ＩＰ電話装置１２〜１４から接続要求メッセージ（INVITE）を受信した場合、発信先ＩＰ電話装置１１が、通知待ち件数Ｎｗを含む通話中応答メッセージ（Busy）を送信し、発信元ＩＰ電話装置１２〜１４が、通知待ち件数Ｎｗを取得する。このため、発信元ＩＰ電話装置１２〜１４のユーザは、通知待ち件数Ｎｗを参考にして、自動リダイヤルを利用するか否かを選択することができる。
【００７２】
なお、本実施の形態では、発信先ＩＰ電話装置１１が、ＩＰ電話装置１０と通話中であった場合の例について説明したが、本発明はこの様な場合に限定されない。すなわち、ＩＰ電話装置１２からの接続要求メッセージ（INVITE）に対し、発信先ＩＰ電話装置１１が成功応答メッセージ（OK）を返送できない種々のケースに適用することができる。例えば、発信先ＩＰ電話装置１１が、ＰＳＴＮ及びＶｏＩＰを利用可能であり、かつ、両者を同時には利用することはできない端末装置である場合、ＰＳＴＮによる通話中の場合についても本発明を適用することができる。
【００７３】
また、本実施の形態では、発信元ＩＰ電話装置１２〜１４が、終話通知メッセージ（NOTIFY）を受信すれば、自動的にリダイヤルする場合の例について説明したが、本発明は自動リダイヤルが行われる場合には限定されない。例えば、終話通知メッセージに基づいて（NOTIFY）、表示部４６又はサウンド出力部４７を用いて、ＩＰ電話装置１１の通話終了を報知するだけの場合にも適用することができる。
【００７４】
実施の形態２．
実施の形態１では、通話中の発信先ＩＰ電話装置１１が、発信元ＩＰ電話装置１２〜１４に対し、通知待ち件数Ｎｗを含む通話中応答メッセージ（Busy）を返送する場合について説明した。これに対し、本実施の形態では、通話中応答メッセージ（Busy）の送信後に、別途、件数通知メッセージを送信する場合について説明する。
【００７５】
図９は、本発明の実施の形態２によるシグナリング手順の一例を示したシーケンス図であり、図３のＩＰ電話装置１２が発信した際、発信先であるＩＰ電話装置１１がＩＰ電話装置１０と通話中であった場合の動作が示されている。図４（実施の形態１）の場合と比較すれば、発信先ＩＰ電話装置１１が、件数通知メッセージ（NOTIFY）Ｍ２０３を発信元ＩＰ電話装置１２へ送信し、発信元ＩＰ電話装置１１から成功応答メッセージ（OK）Ｍ２０４が返送される点で異なる。
【００７６】
ＩＰ電話装置１１は、ＩＰ電話装置１０との通話中に、ＩＰ電話装置１２からの接続要求メッセージ（INVITE）Ｍ２００を受信すると、通話中応答メッセージ（Busy）Ｍ２０１を返信する。このメッセージＭ２０１を受信したＩＰ電話装置１２は、最終応答メッセージ(ACK)Ｍ２０２を返信する。以上の動作は、従来のＩＰ電話システムと同様である。
【００７７】
発信先ＩＰ電話装置１１は、通話中応答メッセージ（Busy）Ｍ２０１の送信後、発信元ＩＰ電話装置１２に対し、通知待ち件数Ｎｗを含む件数通知メッセージ（NOTIFY）Ｍ２０３を送信し、発信元ＩＰ電話装置１２からは、成功応答メッセージ（OK）Ｍ２０４が返信される。つまり、本実施の形態では、通知待ち件数Ｎｗが件数通知メッセージ（NOTIFY）Ｍ２０３として、通話中応答メッセージＭ２０１とは別に送信される。発信元ＩＰ電話装置１２のユーザは、この通知待ち件数Ｎｗを参考にして、自動リダイヤルを利用するか否かを決定することができる。その後の手順は、図４の場合と同様である。
【００７８】
図１０のステップＳ３０１〜Ｓ３１１は、図３の発信先ＩＰ電話装置１１について、本発明の実施の形態２による動作の一例を示したフローチャートである。このフローチャートを図７（実施の形態１）の場合と比較すれば、ステップＳ３０４〜Ｓ３０６のみが異なっている。
【００７９】
通話中の発信先ＩＰ電話装置１１が接続要求メッセージ（INVITE）を受信した場合、その主制御部４０は、まず、ＶｏＩＰ処理部４１に対し、発信元であるＩＰ電話装置１２へ通話中応答メッセージ（busy）の送信を指示する（ステップＳ３０４）。その後、通知待ち件数Ｎｗを算出し、この通知待ち件数Ｎｗを含む件数通知メッセージ（NOTIFY）の送信を指示する（ステップＳ３０５，Ｓ３０６）。その他の動作は、図７（実施の形態１）の場合と同様である。
【００８０】
図１１のステップＳ４０１〜Ｓ４０９は、図３の発信元ＩＰ電話装置１２について、本発明の実施の形態２による動作の一例を示したフローチャートである。このフローチャートを図８（実施の形態１）の場合と比較すれば、ステップＳ４０３のみが異なる。
【００８１】
発信先ＩＰ電話装置１１から通話中応答メッセージ（Busy）が返送された場合、発信元ＩＰ電話装置１２は、件数通知メッセージ（NOTIFY）が受信できるまで待つ（ステップS４０３）。その後、件数通知メッセージ（NOTIFY）が受信されると、当該メッセージから通知待ち件数Ｎｗを抽出し、ユーザに報知する（ステップＳ４０４）。その他の動作は、図８（実施の形態１）の場合と同様である。
【００８２】
実施の形態３．
本実施の形態では、終話通知の要求順に従って終話通知メッセージを送信し、複数の要求元ＩＰ電話装置１２〜１４に対し、リダイヤルの機会を公平に付与する場合について説明する。
【００８３】
実施の形態１及び２では、通話中のＩＰ電話装置１１に対し、複数のＩＰ電話装置１２〜１４が終話通知を要求した場合、通話終了時に、各発信元ＩＰ電話装置１２〜１４へ終話通知メッセージが送信されるが、その送信順序は決められていない。しかも、インターネットなどのＩＰ網では、通常、ＩＰパケットの伝送遅延が保証されていない。このため、通知待ち件数Ｎｗ＝０のときに終話通知要求を行った発信元ＩＰ電話装置１２がリダイヤルに失敗し、通知待ち件数Ｎｗ＝２のときに終話通知要求を行った発信元ＩＰ電話装置１４がリダイヤルに成功するという場合が発生し得る。
【００８４】
この場合、通知待ち件数Ｎｗは、その値が大きければリダイヤルの成功確率が低いことを意味するが、その値が小さくても必ずしもリダイヤルの成功確率が高いことを意味しなくなると考えられる。本実施の形態では、通知待ち件数Ｎｗと、リダイヤル成功確率との
相関性を高めたＩＰ電話システムについて説明する。
【００８５】
図１２は、図３のＩＰ電話装置１０〜１４の要部について、本発明の実施の形態３による一構成例を示したブロック図である。図５（実施の形態１）の場合と比較すれば、タイマー４８を備えている点で異なる。
【００８６】
主制御部４０は、終話通知要求メッセージ（SUBSCRIBE）を受信し、そのメッセージを終話通知要求記憶部４３に格納する際、複数のメッセージについて受信順序を識別可能に格納する。例えば、各メッセージにその受信時刻、あるいは、受信時刻に基づくシーケンス番号を付して格納する。そして、通話終了後は、この受信順序に従ってメッセージが読み出され、順に終話通知メッセージが送信される。
【００８７】
タイマー４８は、終話通知メッセージの送信間隔を計測する手段である。主制御部４０は、通話終了時に複数の終話通知メッセージを送信する際、タイマー４８のタイムアップ信号に基づいて、所定の時間間隔で送信する。
【００８８】
この送信間隔は、発信先ＩＰ電話装置１１から終話通知メッセージが送信された後、このメッセージを受信した発信元ＩＰ電話装置１２〜１４からの接続要求メッセージが発信先ＩＰ電話装置１１に到達するまでに必要とされる時間を考慮して予め定められる。例えば、ＩＰ電話装置１１及び１２〜１４間におけるＩＰパケットの往復時間の最小値以上とすることができる。また、この往復時間の平均値以上とすることがより望ましく、ＩＰ電話システムによって許容されているＩＰパケットの往復時間の最大値以上とすることが最も望ましい。
【００８９】
図１３のステップＳ５０１〜Ｓ５１１は、図３の発信先ＩＰ電話装置１１について、本発明の実施の形態３による動作の一例を示したフローチャートである。このフローチャートを図７（実施の形態１）の場合と比較すれば、ステップＳ５１１が異なる。通話終了後の発信先ＩＰ電話装置１１では、主制御部４０が、終話通知要求記憶部４３に格納されたメッセージをその受信順に読み出し、終話通知メッセージとして、所定の送信間隔を隔てて順次に送信している（ステップＳ５０９〜Ｓ５１１）。
【００９０】
図１４は、複数のＩＰ電話装置１２〜１４に対する終話通知手順の一例を示したシーケンス図であり、通話中のＩＰ電話装置１１に対し、ＩＰ電話装置１２〜１４が、順に終話通知要求メッセージＭ３００〜Ｍ３０２を送信した場合が示されている。通話終了後のＩＰ電話装置１１は、通話終了後、上記送信順位に基づいて、終話通知メッセージＭ３０３〜Ｍ３０５を送信している。また、各メッセージ送信ごとに所定の送信間隔が設けられている。
【００９１】
本実施の形態によれば、発信先ＩＰ電話装置１１が、通話中に２以上のＩＰ電話装置１２〜１４から終話通知要求メッセージを受信した場合、その受信順序が識別可能となるように上記メッセージを保持し、通話終了後に、この受信順序に基づいて、順次に終話通知メッセージを順次に送信する。このため、各要求元ＩＰ電話装置１２〜１４に対し、要求順に終話通知メッセージを送信することができる。従って、各要求元ＩＰ電話装置１２〜１４に対し、リダイヤルの機会を公平に付与することができる。また、通知待ち件数Ｎｗとリダイヤル成功確率との相関性を高めることができる。
【００９２】
また、本実施の形態によれば、通話終了後、ＩＰ電話装置１１が、複数の要求元ＩＰ電話装置１２〜１４に対して終話通知メッセージを送信する際、所定の時間間隔をおいて順次に送信している。従って、リダイヤルの機会をより公平に付与することができ、また、通知待ち件数Ｎｗとリダイヤル成功確率との相関性をより高めることができる。
【図面の簡単な説明】
【００９３】
【図１】本発明が適用されるＩＰ電話システムの一例を示した概略図である。
【図２】図１のＩＰ電話システムにおける基本動作の一例を示したシーケンス図であり、
【図３】本発明の実施の形態１によるＩＰ電話システムの一例について説明するための図であり、
【図４】発信先が通話中であった場合におけるシグナリング手順の一例を示したシーケンス図である。
【図５】図３のＩＰ電話装置１０〜１４の要部の一構成例を示したブロック図である。
【図６】図５のＶｏＩＰ処理部４１の一構成例を示したブロック図である。
【図７】図３の発信先ＩＰ電話装置１１における動作の一例を示したフローチャートである。
【図８】図３の発信元ＩＰ電話装置１２〜１４における動作の一例を示したフローチャートである。
【図９】本発明の実施の形態２によるシグナリング手順の一例を示したシーケンス図である。
【図１０】図３の発信先ＩＰ電話装置１１について、本発明の実施の形態２による動作の一例を示したフローチャートである。
【図１１】図３の発信元ＩＰ電話装置１２について、本発明の実施の形態２による動作の一例を示したフローチャートである。
【図１２】図３のＩＰ電話装置１０〜１４の要部について、本発明の実施の形態３による構成例を示したブロック図である。
【図１３】図３の発信先ＩＰ電話装置１１について、本発明の実施の形態３による動作の一例を示したフローチャートである。
【図１４】複数のＩＰ電話装置１２〜１４に対する終話通知手順の一例を示したシーケンス図である。
【符号の説明】
【００９４】
１０〜１４  ＩＰ電話装置
Ｍ１００，Ｍ１０７，Ｍ２００，Ｍ２０９  接続要求メッセージ（INVITE）
Ｍ１０１  通話中応答メッセージ（Busy）
Ｍ１０３，Ｍ２０５，Ｍ３００〜Ｍ３０２  終話通知要求メッセージ（SUBSCRIBE）
Ｍ１０５，Ｍ２０７，Ｍ３０３〜Ｍ３０５  終話通知メッセージ（NOTIFY）
２０  ＩＰ網
２１，２２  プロキシーサーバ
２３  ロケーションサーバ
３０  スプリッタ
３１  電話機
３２  切替回路
３３  着信検出回路
３４  ＶｏＩＰゲートウエイ
４０  主制御部
４１  ＶｏＩＰ処理部
４２  電話制御部（ＳＬＩＣ）
４３  終話通知要求記憶部
４４  入出力制御部
４５  キー操作部
４６  表示部
４７  サウンド出力部
４８  タイマー
５０  ＡＤＳＬモデム
５１  ＡＤＳＬ制御部
５１，ＶｏＩＰ  制御部
５１  ＡＤＳＬ制御部
５２  ＶｏＩＰ制御部
５３  ＤＳＰ制御部
５４  ＤＳＰコーデック
Ｎｗ  通知待ち件数
【図１】
2005101817.tif 000003
【図２】
2005101817.tif 000004
【図３】
2005101817.tif 000005
【図４】
2005101817.tif 000006
【図５】
2005101817.tif 000007
【図６】
2005101817.tif 000008
【図７】
2005101817.tif 000009
【図８】
2005101817.tif 000010
【図９】
2005101817.tif 000011
【図１０】
2005101817.tif 000012
【図１１】
2005101817.tif 000013
【図１２】
2005101817.tif 000014
【図１３】
2005101817.tif 000015
【図１４】
2005101817.tif 000016